(57)【要約】  本発明は、バッテリーパックに備えられたスイッチを制御する過程で効果的にスイッチを制御できるスイッチ制御装置に関する。本発明の一態様によれば、スイッチが閉状態から開状態に切り換えられる場合に発生する逆起電力による電流が迅速に放出されることで、スイッチのターンオン／ターンオフを迅速に切り換えることができる。また、本発明の一態様によれば、制御部に印加される電圧が定格電圧範囲内に収まるため、スイッチ制御回路の安定性を強化することができる。
2021511715.tif 000002
【特許請求の範囲】
【請求項１】
電圧入力源から電源の供給を受けるスイッチの開閉を制御する装置であって、
前記スイッチと電気的に並列で接続されて前記スイッチの正極端子側に電流が流れるように構成された還流ダイオードと、
前記還流ダイオードと電気的に直列で接続されるように構成されたツェナーダイオードと、
前記電圧入力源の入力端子と前記スイッチの正極端子との間に備えられ、前記入力端子から入力電圧を受け取り、前記スイッチの正極端子に前記入力電圧を伝達するように構成されたＦＥＴと、
前記ＦＥＴと電気的に接続され、前記ＦＥＴに前記スイッチの開閉動作を制御する信号を伝達するように構成された制御部と、
前記入力電圧が前記電圧入力源の入力端子からスイッチに供給される経路と前記制御部との接続経路上に備えられ、前記制御部に印加される電圧を分配するように構成された抵抗とを含む、スイッチ制御装置。
【請求項２】
前記抵抗は、前記ＦＥＴのドレイン端子と前記スイッチの正極端子との間のノードと、前記制御部の入出力ピンとの間に、両端が電気的に直接接続するように構成された、請求項１に記載のスイッチ制御装置。
【請求項３】
前記抵抗は、前記制御部の入出力ピンに印加される電圧が前記制御部の定格電圧範囲内に収まるように、抵抗値が設定された、請求項２に記載のスイッチ制御装置。
【請求項４】
前記抵抗は、前記抵抗値が前記制御部の内部抵抗値以上である、請求項３に記載のスイッチ制御装置。
【請求項５】
前記ツェナーダイオードは、前記還流ダイオードの順方向の逆方向を順方向にして構成された、請求項１から４のいずれか一項に記載のスイッチ制御装置。
【請求項６】
前記ＦＥＴは、前記ＦＥＴのソース端子と前記入力端子とが電気的に直接接続され、前記ＦＥＴのドレイン端子と前記スイッチの正極端子とが電気的に直接接続され、前記ＦＥＴのゲート端子と前記制御部とが電気的に直接接続するように構成された、請求項１から５のいずれか一項に記載のスイッチ制御装置。
【請求項７】
前記制御部は、少なくとも二つ以上の入出力ピンを備え、
前記入出力ピンは、前記ＦＥＴ及び前記抵抗にそれぞれ電気的に直接接続するように構成された、請求項１から６のいずれか一項に記載のスイッチ制御装置。
【請求項８】
前記制御部と前記抵抗との間に並列で接続され、前記抵抗に向かう方向を順方向にして構成された逆電圧防止ダイオードをさらに含む、請求項１から７のいずれか一項に記載のスイッチ制御装置。
【請求項９】
請求項１から８のいずれか一項に記載のスイッチ制御装置を含むＢＭＳ。
【請求項１０】
請求項１から８のいずれか一項に記載のスイッチ制御装置を含むバッテリーパック。
【発明の詳細な説明】
【技術分野】
【０００１】
本発明は、スイッチ制御装置に関し、より詳しくは、バッテリーパックに備えられたスイッチを制御する過程で効果的にスイッチを制御することができるスイッチ制御装置に関する。
【０００２】
本出願は、２０１８年８月１３日出願の韓国特許出願第１０−２０１８−００９４４４１号に基づく優先権を主張し、当該出願の明細書及び図面に開示された内容は、すべて本出願に組み込まれる。
【背景技術】
【０００３】
近来、ノートパソコン、ビデオカメラ、携帯電話などのような携帯用電子製品の需要が急激に伸び、エネルギー貯蔵用蓄電池、ロボット、衛星などの開発が本格化するにつれて、繰り返して充放電可能な高性能二次電池に対する研究が活発に行われている。
【０００４】
また、モバイル機器、電気自動車、ハイブリッド自動車、電力貯蔵装置、無停電電源装置などに対する技術開発と需要が増加し、それに伴ってエネルギー源としての二次電池の需要が急増している。特に、電気自動車やハイブリッド自動車に使用される二次電池は、高出力、大容量の二次電池であって、これに対する多くの研究が行われている。
【０００５】
さらに、二次電池に対する多くの需要とともに、二次電池と係わる周辺部品や装置に対する研究も一緒に行われている。すなわち、複数の二次電池を接続して一つのモジュールにしたバッテリーモジュール、バッテリーモジュールの充放電を制御し、それぞれの二次電池の状態をモニタリングするＢＭＳ（Ｂａｔｔｅｒｙ Ｍａｎａｇｅｍｅｎｔ Ｓｙｓｔｅｍ）、バッテリーモジュールとＢＭＳとを一つのパックにしたバッテリーパック、バッテリーモジュールをモーターのような負荷と接続するコンタクタ（ｃｏｎｔａｃｔｏｒ）などの多様な部品と装置に対する研究が行われている。
【０００６】
特に、コンタクタは、バッテリーモジュールと負荷とを接続し、電力の供給を制御するスイッチであって、これに対する多くの研究が行われている。一例として、広く使用されるリチウムイオン二次電池の作動電圧は約３．７Ｖ〜４．２Ｖであり、高電圧を提供するために多数の二次電池を直列で接続してバッテリーモジュールを構成する。電気自動車またはハイブリッド自動車に使用されるバッテリーモジュールの場合、自動車を駆動するモーターは約２４０Ｖ〜２８０Ｖのバッテリー電圧を必要とする。このようなバッテリーモジュールとモーターとを接続するコンタクタは、高電圧、高出力の電気エネルギーが常時通過する部品であるため、異常（ｆａｕｌｔ）発生をモニタリングして効果的にターンオン／ターンオフを制御することが重要である。
【発明の概要】
【発明が解決しようとする課題】
【０００７】
本発明は、上記のような従来技術の背景の下でなされたものであり、バッテリーパックに備えられたスイッチを制御する過程で効果的にスイッチを制御できる改善されたスイッチ制御装置を提供することを目的とする。
【０００８】
本発明の他の目的及び長所は、下記の説明によって理解でき、本発明の実施形態によってより明らかに分かるであろう。また、本発明の目的及び長所は、特許請求の範囲に示される手段及びその組合せによって実現することができる。
【課題を解決するための手段】
【０００９】
上記の目的を達成するため、本発明の一態様によるスイッチ制御装置は、電圧入力源から電源の供給を受けるスイッチの開閉を制御する装置であって、前記スイッチと電気的に並列で接続されて前記スイッチの正極端子側に電流が流れるように構成された還流ダイオードと、前記還流ダイオードと電気的に直列で接続されるように構成されたツェナーダイオードと、前記電圧入力源の入力端子と前記スイッチの正極端子との間に備えられ、前記入力端子から入力電圧を受信し、前記スイッチの正極端子に前記入力電圧を伝達するように構成されたＦＥＴと、前記ＦＥＴと電気的に接続され、前記ＦＥＴに前記スイッチの開閉動作を制御する信号を伝達するように構成された制御部と、前記入力電圧が前記電圧入力源の入力端子からスイッチに供給される経路と制御部との接続経路上に備えられ、前記制御部に印加される電圧を分配するように構成された抵抗とを含む。
【００１０】
前記抵抗は、前記ＦＥＴのドレイン端子と前記スイッチの正極端子との間のノードと、前記制御部の入出力ピンとの間に、両端が電気的に直接接続するように構成され得る。
【００１１】
前記抵抗は、前記制御部の入出力ピンに印加される電圧が前記制御部の定格電圧範囲内に収まるように、抵抗値が設定され得る。
【００１２】
前記抵抗は、前記抵抗値が前記制御部の内部抵抗値以上であり得る。
【００１３】
前記ツェナーダイオードは、前記還流ダイオードの順方向の逆方向を順方向にして構成され得る。
【００１４】
前記ＦＥＴは、前記ＦＥＴのソース端子と前記入力端子とが電気的に直接接続され、前記ＦＥＴのドレイン端子と前記スイッチの正極端子とが電気的に直接接続され、前記ＦＥＴのゲート端子と前記制御部とが電気的に直接接続するように構成され得る。
【００１５】
前記制御部は、少なくとも二つ以上の入出力ピンを備え、前記入出力ピンは、前記ＦＥＴ及び前記抵抗にそれぞれ電気的に直接接続するように構成され得る。
【００１６】
本発明の他の一態様によるスイッチ制御装置は、前記制御部と前記抵抗との間に並列で接続され、前記抵抗に向かう方向を順方向にして構成された逆電圧防止ダイオードをさらに含み得る。
【００１７】
本発明の他の態様によるＢＭＳは、本発明の一態様によるスイッチ制御装置を含む。
【００１８】
本発明のさらに他の態様によるバッテリーパックは、本発明の一態様によるスイッチ制御装置を含む。
【発明の効果】
【００１９】
本発明の一態様によれば、スイッチが閉状態から開状態に切り換えられる場合に発生する逆起電力による電流が迅速に放出されることで、スイッチのターンオン／ターンオフを迅速に切り換えることができる。
【００２０】
また、本発明の一態様によれば、制御部に印加される電圧が定格電圧の範囲内に収まるため、スイッチ制御回路の安定性を強化することができる。
【００２１】
外にも本発明は他の多様な効果を有し得、このような本発明の他の効果は後述する詳細な説明によって理解でき、本発明の実施形態からより明らかに分かるであろう。
【００２２】
本明細書に添付される次の図面は、本発明の望ましい実施形態を例示するものであり、発明の詳細な説明とともに本発明の技術的な思想をさらに理解させる役割をするものであるため、本発明は図面に記載された事項だけに限定されて解釈されてはならない。
【図面の簡単な説明】
【００２３】
【図１】本発明の一実施形態によるスイッチ制御回路がバッテリーパックに備えられたスイッチと接続された構成を概略的に示した図である。
【図２】本発明の一実施形態によるスイッチ制御回路がスイッチと接続された構成を概略的に示した図である。
【図３】本発明の一実施形態によるスイッチ制御回路が備えられたバッテリーパックの構成を概略的に示した図である。
【図４】本発明の他の実施形態によるスイッチ制御回路がスイッチと接続された構成を概略的に示した図である。
【図５】本発明の一実施形態による制御部とスイッチとの間に接続された抵抗を概略的に示した図である。
【発明を実施するための形態】
【００２４】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２５】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２６】
また、本発明の説明において、関連公知構成または機能についての具体的な説明が本発明の要旨を不明瞭にし得ると判断される場合、その詳細な説明は省略する。
【００２７】
明細書の全体において、ある部分がある構成要素を「含む」とするとき、これは特に言及されない限り、他の構成要素を除外するものではなく、他の構成要素をさらに含み得ることを意味する。また、明細書に記載された「制御部」のような用語は、少なくとも一つの機能または動作を処理する単位を意味し、ハードウェア、ソフトウェア、またはハードウェアとソフトウェアとの組合せとして具現され得る。
【００２８】
さらに、明細書の全体において、ある部分が他の部分と「連結（接続）」されるとするとき、これは「直接的な連結（接続）」だけではなく、他の素子を介在した「間接的な連結（接続）」も含む。
【００２９】
本明細書において、二次電池は、負極端子及び正極端子を備え、物理的に分離可能な一つの独立したセルを意味する。一例として、一つのパウチ型リチウムポリマーセルを二次電池として見なし得る。
【００３０】
本発明の一実施形態によるスイッチ制御装置は、電圧入力源から電源の供給を受けるスイッチの開閉を制御する装置である。ここで、前記スイッチ制御装置は、バッテリーパックに備えられ得る。また、前記スイッチ制御装置は、車両に取り付けられたバッテリーパックに備えられ得る。例えば、電圧入力源は、スイッチの動作を制御する動作電圧を伝達する電圧源であり得る。例えば、電圧入力源は１２Ｖ鉛蓄電池であり、スイッチはコンタクタまたはリレーであり得る。
【００３１】
図１は、本発明の一実施形態によるスイッチ制御回路がバッテリーパックに備えられたスイッチと接続された構成を概略的に示した図である。図２は、本発明の一実施形態によるスイッチ制御回路がスイッチと接続された構成を概略的に示した図である。
【００３２】
図１及び図２を参照すると、本発明の一実施形態によるスイッチ制御装置は、スイッチ制御回路１に含まれ得る。
【００３３】
本発明の一実施形態によるスイッチ制御回路１は、図１に示されたように、少なくとも一つ以上の二次電池を含むセルアセンブリＢの正極端子とバッテリーパックの正極端子との間に備えられたスイッチ１０を制御する回路であり得る。バッテリーパックの正極端子及び負極端子は負荷Ｌと接続され得る。
【００３４】
例えば、本発明の一実施形態によるバッテリーパックが車両に取り付けられる場合、バッテリーパックの両端は車両負荷と接続され得る。
【００３５】
本発明の一実施形態によるスイッチ制御装置は、図２に示されたように、還流ダイオード１００、ツェナーダイオード２００、ＦＥＴ３００、制御部４００及び抵抗５００を含むことができる。
【００３６】
前記還流ダイオード１００は、スイッチ１０と電気的に並列で接続され得る。例えば、図２に示されたように、還流ダイオード１００は、入力端子Ｖｉとスイッチ１０との接続経路に備えられた第１ノードｎ１と接地Ｇとの間に備えられ得る。また、還流ダイオード１００は、第１ノードｎ１と接地Ｇとに両端が接続されるスイッチ１０と電気的に並列で接続され得る。
【００３７】
また、還流ダイオード１００は、スイッチ１０の正極端子側に電流が流れるように構成され得る。例えば、図２に示されたように、還流ダイオード１００は、第１ノードｎ１方向を順方向にして第１ノードｎ１側に電流が流れるように構成されたダイオードであり得る。また、還流ダイオード１００は、第１ノードｎ１を経てスイッチ１０の正極端子側に電流が流れるように構成され得る。
【００３８】
また、還流ダイオード１００は、スイッチ１０が閉状態から開状態に切り換えられる場合、還流ダイオード１００とスイッチ１０とを連結する閉ループを通じてスイッチ１０のインダクタ成分によって発生する電流を再びスイッチ１０に流すことで、逆起電力によって発生するインパルス電圧によるスイッチ１０の損傷を防止することができる。
【００３９】
前記ツェナーダイオード２００は、還流ダイオード１００と電気的に直列で接続され得る。例えば、図２に示されたように、ツェナーダイオード２００は、第１ノードｎ１と接地Ｇとの間に備えられ、還流ダイオード１００と電気的に直列で接続され得る。
【００４０】
また、ツェナーダイオード２００は、接地Ｇに向かう方向を順方向にして構成され得る。例えば、図２に示されたように、ツェナーダイオード２００は、第１ノードｎ１側を逆方向にし、接地Ｇ側を順方向にするように構成され得る。
【００４１】
また、ツェナーダイオード２００は、還流ダイオード１００を経て第１ノードｎ１側に電流が流れる場合、予め決められた臨界電圧を第１ノードｎ１に印加し得る。
【００４２】
例えば、スイッチ１０が閉状態から開状態に切り換えられる場合、スイッチ１０に備えられた電磁石によって逆起電力が発生し得る。この場合、瞬間的に、ツェナーダイオード２００に接続された接地Ｇが第１ノードｎ１よりも高電位になり得る。例えば、接地Ｇに比べて、第１ノードｎ１には−１８Ｖが印加され得る。このような構成を通じて、ツェナーダイオード２００は、スイッチ１０が閉状態から開状態に切り換えられる場合、還流ダイオード１００とスイッチ１０とを連結する閉ループを通じて電流を迅速に流すことができる。したがって、スイッチ１０の逆起電力によって発生する電流を迅速に放出することができる。
【００４３】
前記ＦＥＴ３００は、電圧入力源の入力端子Ｖｉとスイッチ１０の正極端子との間に備えられ得る。例えば、図２に示されたように、ＦＥＴ３００は、入力端子Ｖｉとスイッチ１０の正極端子との接続経路上に備えられ得る。例えば、ＦＥＴ３００は、ＦＥＴ３００のソース端子Ｓが入力端子Ｖｉと電気的に直接接続され、ＦＥＴ３００のドレイン端子Ｄがスイッチ１０と電気的に直接接続され得る。
【００４４】
また、ＦＥＴ３００は、入力端子Ｖｉから入力電圧を受信することができる。例えば、図２に示されたように、ＦＥＴ３００は、電圧入力源の入力端子Ｖｉからの入力電圧をＦＥＴ３００のソース端子Ｓで受信し得る。例えば、電圧入力源は、ＢＭＳに備えられた電圧源であり得る。望ましくは、電圧入力源は、ＢＭＳに備えられた１２Ｖ鉛蓄電池であり得る。
【００４５】
また、ＦＥＴ３００は、電圧入力源の入力端子Ｖｉから入力された入力電圧をスイッチ１０の正極端子に伝達するように構成され得る。例えば、図２に示されたように、ＦＥＴ３００のゲート端子Ｇに印加される信号に応じて、ＦＥＴ３００のソース端子ＳとＦＥＴ３００のドレイン端子Ｄとを電気的に接続するように構成され得る。したがって、ＦＥＴ３００は、ソース端子Ｓからスイッチ１０の正極端子に入力電圧を伝達することができる。例えば、ＦＥＴ３００は、図２に示されたように、寄生ダイオードを備えたｐチャネルＭＯＳＦＥＴ（Ｍｅｔａｌ Ｏｘｉｄｅ Ｓｅｍｉｃｏｎｄｕｃｔｏｒ Ｆｉｅｌｄ Ｅｆｆｅｃｔ Ｔｒａｎｓｉｓｔｏｒ）であり得る。
【００４６】
前記制御部４００は、ＦＥＴ３００と電気的に接続され得る。例えば、図２に示されたように、制御部４００は、ＦＥＴ３００のゲート端子Ｇと電気的に直接接続され得る。
【００４７】
また、制御部４００は、ＦＥＴ３００にスイッチ１０の開閉動作を制御する信号を伝達するように構成され得る。すなわち、図２の構成において、制御部４００は、ＦＥＴ３００のゲート端子Ｇに電気的信号を伝達し得る。また、制御部４００は、ＦＥＴ３００のゲート端子Ｇにスイッチ１０の開閉動作を制御する信号を伝達し得る。
【００４８】
例えば、制御部４００は、ＦＥＴ３００のゲート端子Ｇに０Ｖの電圧を印加してＦＥＴ３００を閉状態にし得る。また、制御部４００は、ＦＥＴ３００のゲート端子Ｇに５Ｖの電圧を印加してＦＥＴ３００を開状態にし得る。ここで、５Ｖは、ＦＥＴ３００の臨界電圧であり得る。
【００４９】
例えば、ＦＥＴ３００のゲート端子Ｇに５Ｖが印加されてＦＥＴ３００が開放されている場合、制御部４００は、ＦＥＴ３００のゲート端子Ｇに０Ｖを印加してＦＥＴ３００を閉鎖させ得る。すると、ＦＥＴ３００のソース端子ＳとＦＥＴ３００のドレイン端子Ｄとが電気的に接続され、電圧入力源からスイッチ１０の正極端子に入力電圧が伝達される。次いで、スイッチ１０は、入力電圧を受信することで、閉状態に切り換えられる。
【００５０】
また、ＦＥＴ３００のゲート端子Ｇに０Ｖが印加されてＦＥＴ３００が閉鎖されている場合、制御部４００は、ＦＥＴ３００のゲート端子Ｇに５Ｖを印加してＦＥＴ３００を開放させ得る。すると、ＦＥＴ３００のソース端子ＳとＦＥＴ３００のドレイン端子Ｄとが電気的に開放され、電圧入力源からスイッチ１０の正極端子に入力電圧が伝達されなくなる。その後、スイッチ１０は、開放状態に切り換えられる。
【００５１】
前記抵抗５００は、入力電圧が電圧入力源の入力端子Ｖｉからスイッチ１０に供給される経路と制御部４００との接続経路上に備えられ得る。例えば、図２に示されたように、抵抗５００は、第２ノードｎ２と制御部４００とを接続する接続経路上に備えられ得る。ここで、第２ノードｎ２は、入力端子Ｖｉとスイッチ１０の正極端子との接続経路上に備えられ得る。また、第２ノードｎ２は、ＦＥＴ３００のドレイン端子Ｄと第１ノードｎ１との間に備えられ得る。
【００５２】
また、抵抗５００は、制御部４００に印加される電圧を分配するように構成され得る。例えば、図２に示されたように、抵抗５００には、第２ノードｎ２と制御部４００との間に印加される電圧の一部が分配されて印加され得る。このような構成を通じて、本発明の一実施形態による抵抗５００は、第２ノードｎ２に印加される電圧がすべて制御部４００に印加されることを防止することができる。
【００５３】
望ましくは、本発明の一実施形態による制御部４００は、少なくとも二つ以上の入出力ピンｉ１、ｉ２を備え得る。また、前記入出力ピンｉ１、ｉ２は、ＦＥＴ３００及び抵抗５００にそれぞれ電気的に直接接続するように構成され得る。例えば、図２に示されたように、第１入出力ピンｉ１は、第２ノードｎ２と制御部４００とを連結する入出力ピンであり得る。また、第１入出力ピンｉ１は、抵抗５００と制御部４００とを直接電気的に接続する入出力ピンであり得る。また、第２入出力ピンｉ２は、ＦＥＴ３００のゲート端子Ｇと制御部４００とを直接接続する入出力ピンであり得る。制御部４００は、第２入出力ピンｉ２を通じてＦＥＴ３００のドレイン端子Ｄ側の電位を測定し、ＦＥＴ３００の断線または短絡を診断することができる。
【００５４】
また、望ましくは、本発明の一実施形態による抵抗５００は、ＦＥＴ３００のドレイン端子Ｄとスイッチ１０の正極端子との間のノードと、制御部４００の入出力ピンとの間に、両端が電気的に直接接続するように構成され得る。例えば、図２に示されたように、抵抗５００は、第２ノードｎ２と制御部４００の第１入出力ピンｉ１との間に、両端が電気的に直接接続するように構成され得る。
【００５５】
また、望ましくは、本発明の一実施形態によるツェナーダイオード２００は、還流ダイオード１００に直列で接続され得る。例えば、図２に示されたように、ツェナーダイオード２００は、接地Ｇと還流ダイオード１００との間に電気的に直接接続され得る。
【００５６】
また、望ましくは、本発明の一実施形態によるＦＥＴ３００は、図２に示されたように、ＦＥＴ３００のソース端子Ｓと入力端子Ｖｉとが電気的に直接接続され得る。また、ＦＥＴ３００は、ＦＥＴ３００のドレイン端子Ｄとスイッチ１０の正極端子とが電気的に直接接続され得る。また、ＦＥＴ３００は、ＦＥＴ３００のゲート端子Ｇと制御部４００とが電気的に直接接続され得る。
【００５７】
図３は、本発明の一実施形態によるスイッチ制御回路が備えられたバッテリーパックの構成を概略的に示した図である。
【００５８】
図３を参照すると、図１及び図２に示されたスイッチ１０には、鉄片１１及び電磁石１２が備えられ得る。また、入力端子Ｖｉは、電圧入力源ＤＣから電流が出力される端子であり得る。例えば、電圧入力源ＤＣは、１２Ｖ鉛蓄電池であり得る。
【００５９】
セルアセンブリＢ及びバッテリーパックの正極端子はスイッチ１０に備えられた鉄片１１に接続され、スイッチ制御回路１はスイッチ１０に備えられた電磁石１２に接続され得る。また、電磁石１２の他端は電圧入力源ＤＣの他端に連結された接地Ｇに接続され得る。ここで、電磁石１２は、鉄芯及びコイルを含み得る。望ましくは、鉄芯にコイルが巻き取られたものであり得る。
【００６０】
ＦＥＴ３００のゲート端子Ｇに０Ｖ電圧が印加されれば、ソース端子Ｓとドレイン端子Ｄとが導通し、電圧入力源ＤＣの入力端子Ｖｉから出力された電流が電磁石１２に流れる。すると、電磁石１２には磁場が形成され、形成された磁場によって鉄片１１が動き、スイッチ１０がターンオン状態に制御される。すなわち、ＦＥＴ３００のゲート端子Ｇに０Ｖ電圧が印加されると、セルアセンブリＢの正極端子とバッテリーパックの正極端子とが導通し得る。
【００６１】
ＦＥＴ３００のゲート端子Ｇに動作電圧以上の電圧が印加されれば、ソース端子Ｓとドレイン端子Ｄとの接続が切り離され得る。例えば、ゲート端子Ｇに５Ｖ以上の電圧が印加されれば、ソース端子Ｓとドレイン端子Ｄとの接続が切き離され得る。すると、電磁石１２によって逆起電力が発生し得る。この場合、電磁石１２及びツェナーダイオード２００に接続された接地Ｇが、瞬間的に第１ノードｎ１に接続された電磁石１２側の電位より高電位になるため、逆起電力による電流が接地Ｇに流れ得る。すなわち、電磁石１２、接地Ｇ、ツェナーダイオード２００及び還流ダイオード１００が閉ループを形成し、逆起電力による電流が形成された閉ループを流れながら迅速に消耗できる。また、例えば、逆起電力による電流が閉ループを流れながら、第１ノードｎ１には接地Ｇに比べて−１８Ｖが印加され得る。抵抗５００は、制御部４００の入出力ピンに印加される電圧が制御部４００の定格電圧範囲内に収まるように、制御部４００に流れる電流の一部を消耗することができる。
【００６２】
すなわち、本発明の一実施形態によるスイッチ制御装置は、スイッチ１０の動作状態の変化によって発生した逆起電力による電流を迅速に放出及び消耗させることができる。また、スイッチ制御装置は、制御部に印加される電圧を定格電圧以内に維持させることができる。したがって、スイッチ制御回路の安定性をより強化することができる。
【００６３】
一方、制御部４００は、上述したような動作を実行するため、当業界に知られた制御部４００、ＡＳＩＣ（Ａｐｐｌｉｃａｔｉｏｎ−Ｓｐｅｃｉｆｉｃ Ｉｎｔｅｇｒａｔｅｄ Ｃｉｒｃｕｉｔ）、他のチップセット、論理回路、レジスタ、通信モデム及び／またはデータ処理装置、メモリデバイスなどを選択的に含む形態で具現され得る。
【００６４】
一方、メモリデバイスは、情報を記録し消去可能な保存媒体であれば、その種類に特に制限がない。例えば、メモリデバイスは、ＲＡＭ、ＲＯＭ、レジスタ、ハードディスク、光記録媒体または磁気記録媒体であり得る。また、メモリデバイスは、制御部４００によってそれぞれアクセスできるように、例えばデータバスなどを介して制御部４００とそれぞれ電気的に接続され得る。また、メモリデバイスは、制御部４００がそれぞれ実行する各種の制御ロジックを含むプログラム及び／または制御ロジックの実行時に発生するデータを、保存及び／または更新及び／または消去及び／または伝送することができる。
【００６５】
図４は、本発明の他の実施形態によるスイッチ制御回路がスイッチと接続された構成を概略的に示した図である。また、本実施形態では、上述した実施形態についての説明を同様に適用可能な部分は詳細な説明を省略し、異なる部分を主に説明することにする。
【００６６】
図４を参照すると、本発明の一実施形態による制御部４００及び抵抗５００は、図４に示されたように、制御部４００と抵抗５００との間に備えられたノードで電気的に直接接続され得る。
【００６７】
望ましくは、本発明の一実施形態によるスイッチ制御装置は、図４に示されたように、逆電圧防止ダイオード６００をさらに含むことができる。
【００６８】
前記逆電圧防止ダイオード６００は、制御部４００と抵抗５００との間に備えられたノードに接続され得る。
【００６９】
望ましくは、逆電圧防止ダイオード６００は、抵抗５００に向かう方向を順方向にして構成され得る。例えば、図４に示されたように、逆電圧防止ダイオード６００は、制御部４００と抵抗５００との間に備えられたノードと、接地Ｇとの間に電気的に直接接続され得る。また、逆電圧防止ダイオード６００は、図４に示されたように、制御部４００と抵抗５００との間に備えられたノードに向かう方向を順方向にして構成され得る。
【００７０】
本発明によるスイッチ制御装置は、ＢＭＳに適用できる。すなわち、本発明によるＢＭＳは、上述した本発明によるスイッチ制御装置を含むことができる。このような構成において、本発明によるスイッチ制御装置の各構成要素のうち少なくとも一部は、従来ＢＭＳに含まれた構成の機能を補完または追加することで具現され得る。例えば、本発明によるスイッチ制御装置の制御部４００及びメモリデバイスは、ＢＭＳの構成要素として具現され得る。
【００７１】
また、本発明によるスイッチ制御装置は、バッテリーパックに備えることができる。すなわち、本発明によるバッテリーパックは、上述した本発明によるスイッチ制御装置を含むことができる。ここで、バッテリーパックは、一つ以上の二次電池、前記スイッチ制御装置、電装品（ＢＭＳやリレー、ヒューズなどを備える）及びケースなどを含むことができる。
【００７２】
図５は、本発明の一実施形態による制御部とスイッチとの間に接続された抵抗を概略的に示した図である。
【００７３】
図２〜図５を参照すると、本発明の一実施形態による抵抗５００は、第２ノードｎ２と制御部４００の第１入出力ピンｉ１との間に備えられ得る。
【００７４】
本発明の一実施形態による制御部４００は、図５に示されたように、内部抵抗４１０を備え得る。
【００７５】
前記内部抵抗４１０は、第１入出力ピンｉ１と内部端子ｉ１'との間に備えられ得る。例えば、内部抵抗４１０は、制御部４００の等価抵抗であり得る。
【００７６】
望ましくは、本発明の一実施形態による抵抗５００は、制御部４００の入出力ピンに印加される電圧が制御部４００の定格電圧範囲内に収まるように構成され得る。例えば、図５に示されたように、内部端子ｉ１'と第２ノードｎ２との間に印加される電圧が１８Ｖであり、内部抵抗４１０及び抵抗５００が１ｋΩと抵抗値が同じである場合、内部抵抗４１０と抵抗５００とには１８Ｖが分配されてそれぞれ９Ｖが印加され得る。この場合、第２ノードｎ２に−１８Ｖが印加されると、第１入出力ピンｉ１には−９Ｖが印加され得る。例えば、制御部４００の定格電圧が−１０Ｖ〜６０Ｖである場合、制御部４００の第１入出力ピンｉ１には−１０Ｖ〜６０Ｖの電圧が印加されなければならない。したがって、このような構成を通じて、本発明の一実施形態による抵抗５００は、第２ノードｎ２に印加される電圧を分配することで、制御部４００の入出力ピンに印加される電圧を制御部４００の定格電圧範囲内に収めることができる。
【００７７】
より望ましくは、本発明の一実施形態による抵抗５００は、抵抗値が制御部４００の内部抵抗の抵抗値以上であり得る。抵抗５００の抵抗値が内部抵抗４１０の抵抗値以上である場合にも、制御部４００の定格電圧に該当する電圧が安定的に第１入出力ピンｉ１に印加され得る。例えば、第２ノードｎ２に−１８Ｖが印加され、抵抗５００の抵抗値が２ｋΩであり、内部抵抗４１０の抵抗値が１ｋΩである場合、第１入出力ピンｉ１には−６Ｖが印加され得る。
【００７８】
このような構成を通じて、本発明の一実施形態によるスイッチ制御装置は、スイッチが閉状態から開状態に切り換えられる場合に発生する逆起電力による電流を迅速に放出し、制御部に印加される電圧が定格電圧範囲内に収まるようにすることで、制御部内に備えられたＩＣチップなどの素子の損傷を防止することができる。
【００７９】
また、制御部の多様な制御ロジックは少なくとも一つ以上が組み合わせられ、組み合わせられた制御ロジックは、コンピュータ可読のコード体系で作成されてコンピュータによってアクセス可能なものであれば、その種類に特に制限がない。一例として、記録媒体は、ＲＯＭ、ＲＡＭ、レジスタ、ＣＤ−ＲＯＭ、磁気テープ、ハードディスク、フロッピーディスク及び光データ記録装置を含む群から選択された少なくとも一つ以上を含む。また、前記コード体系は、ネットワークで接続されたコンピュータに分散して保存されて実行され得る。また、組み合わせられた制御ロジックを具現するための機能的なプログラム、コード及びセグメントは、本発明が属する技術分野のプログラマによって容易に推論可能である。
【００８０】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【００８１】
一方、本明細書において、「制御部」などのように用語「部」が使われたが、これは論理的な構成単位を示すものであって、物理的に分離可能であるか又は物理的に分離されるべき構成要素を示すものではないことは当業者に自明であろう。
【符号の説明】
【００８２】
１：スイッチ制御回路
１０：スイッチ
１００：還流ダイオード
２００：ツェナーダイオード
３００：ＦＥＴ
４００：制御部
４１０：内部抵抗
５００：抵抗
６００：逆電圧防止ダイオード
Ｂ：セルアセンブリ
Ｌ：負荷
ＤＣ：電圧入力源
【図１】
2021511715.tif 000003
【図２】
2021511715.tif 000004
【図３】
2021511715.tif 000005
【図４】
2021511715.tif 000006
【図５】
2021511715.tif 000007
【国際調査報告】
2021511715.tif 000008
2021511715.tif 000009
2021511715.tif 000010
2021511715.tif 000011